(57)【要約】【課題】擬似マウント部に取り付ける補助的な機器の状態が外観上判別できないような場合であっても、その状態を瞬時に判別する。【解決手段】カメラ本体４と、該カメラ本体４に着脱可能に装着されるレンズユニット２，３とを備え、前記カメラ本体４に、レンズユニット装着用のレンズマウント部６と、該レンズマウント部６と同一のレンズマウント方式に適合した１以上の擬似マウント部７と、これらレンズマウント部６および擬似マウント部７に装着された機器２，３の情報を読み取るための情報読み取り手段１４，１６とが備えられているレンズ交換式カメラ１を提供する。【選択図】  図３
2008089671.tif 000002
【特許請求の範囲】
【請求項１】
カメラ本体と、該カメラ本体に着脱可能に装着されるレンズユニットとを備え、前記カメラ本体に、レンズユニット装着用のレンズマウント部と、該レンズマウント部と同一のレンズマウント方式に適合した１以上の擬似マウント部と、これらレンズマウント部および擬似マウント部に装着された機器の情報を読み取るための情報読み取り手段とが備えられているレンズ交換式カメラ。
【請求項２】
前記カメラ本体に画像表示部及び処理装置を有し、
前記処理装置が、前記擬似マウント部に装着された機器の情報を前記情報読み取り手段を介して読み取ると共に、前記画像表示部に該機器の情報を表示させる請求項１に記載のレンズ交換式カメラ。
【請求項３】
前記処理装置が、前記レンズマウント部に装着された機器の情報及び前記擬似マウント部に装着された機器の情報を前記情報読み取り手段を介して読み取ると共に、前記画像表示部にそれぞれの機器の情報を表示させる請求項１に記載のレンズ交換式カメラ。
【請求項４】
前記機器がレンズユニットであり、前記機器の情報が該レンズユニットの有するレンズ特性である請求項２又は３に記載のレンズ交換式カメラ。
【請求項５】
前記擬似マウント部に装着される機器が、前記レンズユニットと同一のレンズマウント方式に適合した補助バッテリーである請求項１に記載のレンズ交換式カメラ。
【請求項６】
前記擬似マウント部に、装着された補助バッテリーからの電力をカメラ本体に供給する電力端子が備えられている請求項５に記載のレンズ交換式カメラ。
【請求項７】
前記擬似マウント部に装着される機器が、前記レンズユニットと同一のレンズマウント方式に適合した補助メモリーである請求項１に記載のレンズ交換式カメラ。
【請求項８】
前記擬似マウント部に、装着された補助メモリーからの情報をカメラ本体に供給し、また、カメラ本体からの情報を補助メモリーに供給する情報端子が備えられている請求項７に記載のレンズ交換式カメラ。
【発明の詳細な説明】
【技術分野】
【０００１】
この発明は、カメラ、特に、交換用のレンズをカメラ本体に具備したレンズ交換式カメラに関するものである。
【背景技術】
【０００２】
従来、交換レンズの持ち運びを容易にし、必要時に素早くレンズ交換を行うことを可能とするために、カメラ本体の一部に交換レンズのレンズマウント方式に適合したレンズ保持用の擬似マウント部を備えたカメラが開示されている（例えば、特許文献１参照）。
【特許文献１】特開２０００−１８７２７１号公報（図３）
【発明の開示】
【発明が解決しようとする課題】
【０００３】
しかし、特許文献１に開示されているカメラにおいて、擬似マウント部は、単に、その後の交換に備えて交換レンズを装着しておくだけのものである。したがって、交換レンズが外観上判別できないような場合には、交換レンズの判別に時間がかかってシャッターチャンスを逃してしまう等の不都合がある。
【０００４】
この発明は、上述した事情に鑑みてなされたものであって、擬似マウント部に取り付ける交換レンズ等の補助的な機器の状態が外観上判別できないような場合であっても、その状態を瞬時に判別して有効に利用することができるレンズ交換式カメラを提供することを目的としている。
【課題を解決するための手段】
【０００５】
上記目的を達成するために、この発明は、以下の手段を提供する。
この発明に係るレンズ交換式カメラは、カメラ本体と、該カメラ本体に着脱可能に装着されるレンズユニットとを備え、前記カメラ本体に、レンズユニット装着用のレンズマウント部と、該レンズマウント部と同一のレンズマウント方式に適合した１以上の擬似マウント部と、これらレンズマウント部および擬似マウント部に装着された機器の情報を読み取るための情報読み取り手段とが備えられている。
【０００６】
この発明によれば、レンズマウント部および擬似マウント部に装着された機器の情報を情報読み取り手段を介してカメラ本体側で読み取って、レンズマウント部および擬似マウント部に装着された機器を認識することができる。
【０００７】
上記発明において、前記カメラ本体に画像表示部及び処理装置を有し、前記処理装置が、前記擬似マウント部に装着された機器の情報を前記情報読み取り手段を介して読み取ると共に、前記画像表示部に該機器の情報を表示させるとさらに好適である。
この発明によれば、レンズマウント部および擬似マウント部に装着されている機器が外観上判別できない場合であっても、その機器を瞬時に判別することができる。
【０００８】
上記発明において、前記処理装置が、前記レンズマウント部に装着された機器の情報及び前記擬似マウント部に装着された機器の情報を前記情報読み取り手段を介して読み取ると共に、前記画像表示部にそれぞれの機器の情報を表示させるとさらに好適である。
この発明によれば、レンズマウント部および擬似マウント部に装着されている機器が外観上判別できない場合であっても、その機器を瞬時に判別することができる。
【０００９】
上記発明において、前記機器がレンズユニットであり、前記機器の情報が該レンズユニットの有するレンズ特性であるとさらに好適である。
この発明によれば、レンズマウント部および擬似マウント部に装着されている機器が外観上判別できない場合であっても、その機器を瞬時に判別することができる。
【００１０】
上記発明において、前記擬似マウント部に装着される機器が、前記レンズユニットと同一のレンズマウント方式に適合した補助バッテリーであるとさらに好適である。
この発明によれば、補助バッテリーを擬似マウント部に装着することで、補助バッテリーの残容量等の情報を情報読み取り手段を介してカメラ本体側で読み取ることができる。
【００１１】
上記発明において、前記擬似マウント部に、装着された補助バッテリーからの電力をカメラ本体に供給する電力端子が備えられているとさらに好適である。
この発明によれば、擬似マウント部に装着した状態の補助バッテリーからの電力供給を受け、長時間撮影等が可能となる。
【００１２】
上記発明において、前記擬似マウント部に装着される機器が、前記レンズユニットと同一のレンズマウント方式に適合した補助メモリーであるとさらに好適である。
この発明によれば、補助メモリーを擬似マウント部に装着することで、補助メモリーの残容量等の情報を情報読み取り手段を介してカメラ本体側で読み取ることができる。
【００１３】
上記発明において、前記擬似マウント部に、装着された補助メモリーからの情報をカメラ本体に供給し、また、カメラ本体からの情報を補助メモリーに供給する情報端子が備えられているとさらに好適である。
この発明によれば、擬似マウント部に装着した状態の補助メモリーに撮影したデータ等を蓄えておく（記憶させておく）ことができ、多数の撮影等が可能となる。
【発明の効果】
【００１４】
この発明によれば、擬似マウント部に取り付ける補助的な機器の状態が外観上判別できないような場合であっても、その状態を瞬時に判別して有効に利用することができるという効果を奏する。
【発明を実施するための最良の形態】
【００１５】
以下、本発明の一実施形態に係るレンズ交換式カメラ（以下、「デジタルカメラ」という。）について、図１ないし図４を参照して以下に説明する。
図１は本実施形態に係るデジタルカメラのカメラ本体の概略全体斜視図、図２は本実施形態に係るデジタルカメラの概略全体斜視図、図３は図２のａ−ａ（ｂ−ｂ）矢視断面図、図４は本実施形態に係るデジタルカメラの概略全体背面図である。
【００１６】
図２に示すように、デジタルカメラ１は、少なくとも二つのレンズユニット（撮影レンズユニット）２，３と、カメラ本体４とを主たる要素として構成されたものである。
本実施形態に係るレンズユニット（機器）２，３はそれぞれ、被写体像を撮像する少なくとも一枚のレンズ５を備えた、平面視円形状を呈する筒状の部材であり、例えば、倍率の異なるレンズユニットであり、カメラ本体４の正面４ａに対して着脱可能に取り付けられている。
また、図３に示すように、レンズユニット２，３の後端部には、後述するカメラ本体４の第１の嵌合部（以下、「レンズマウント部」という。）６または第２の嵌合部（以下、「擬似マウント部」という。）７に受け入れられる（と嵌合する）凸部（縮径部）８が設けられている。
なお、図１および図２中の符号４ｂはカメラ本体４の側面である。
【００１７】
凸部８は、その外周面１０がレンズユニット２，３の光軸（あるいはレンズユニット２，３の外周面１１）と平行になるように形成されている。また、凸部８の外周面１０とレンズユニット２，３の外周面１１とは、レンズユニット２，３の光軸（あるいはレンズユニット２，３の外周面１１）と直交する平面と平行になるように形成された第１の嵌合面１２で結ばれている（接続されている）。そして、レンズユニット２，３の内部で、かつ、第１の嵌合面１２の内側（正面側）には、図示していない少なくとも一つの磁石（例えば、Ｎ極の磁石）が設けられている。また、レンズユニット２，３の内部にはメモリー（情報読み取り手段）１３が設けられている。このメモリー１３は、凸部８の半径方向外側に位置するレンズユニット２，３の後端部で、かつ、その先端部が後述するカメラ本体側端子（情報読み取り手段）１４の表面と当接する位置に設けられたレンズユニット（機器）側端子（情報読み取り手段）１５と電気的に接続されている。
【００１８】
カメラ本体４は、被写体像を撮像する撮像部（ＣＣＤ）２４と、この撮像部２４により撮像された被写体像をデジタル化して記憶する処理装置（ＣＰＵ）１６と、撮像部２４により撮像された被写体像を表示する画像表示部１７とを備えた、平面視略矩形状を呈する箱状の部材である。撮像部２４はカメラ本体４の内部で、かつ、レンズユニット２の光軸上に配置されており、処理装置（情報読み取り手段）１６はカメラ本体４の内部に配置されている。また、カメラ本体４の正面における左側中央部には、撮影に使用するレンズユニット２の凸部８を受け入れる（と嵌合する）レンズマウント部６が設けられているとともに、カメラ本体４の正面における右側中央部には、交換用（または予備）のレンズユニット３の凸部８を受け入れる（と嵌合する）擬似マウント部７が設けられている。そして、図４に示すように、カメラ本体４の背面（カメラ本体４の正面と反対側の面）における略中央部には、画像表示部１７が配置されている。
【００１９】
図３に示すように、レンズマウント部６および擬似マウント部７はそれぞれ、その内周面が凸部８の外周面１０と平行になるとともに、その内径が凸部８の外径（すなわち、外周面１０の直径）よりも若干（わずかに）大きくなるように（レンズユニット２，３をカメラ本体４に抵抗なく（円滑に）抜き差しできるように）形成されている。また、レンズマウント部６および擬似マウント部７の半径方向外側で、かつ、レンズユニット２，３をカメラ本体４に取り付けたときに第１の嵌合面１２と対向する領域（場所）は、第１の嵌合面１２と当接する第２の嵌合面１８とされている。そして、この第２の嵌合面１８は、第１の嵌合面１２の内側に配置された磁石を吸着させる磁性部材で作られている。また、この第２の嵌合面１８には、レンズユニット側端子１５の先端部と当接してレンズユニット２，３とカメラ本体４との間で信号のやりとり（送受信）を行うカメラ本体側端子１４が設けられている。そして、このカメラ本体側端子１４は、処理装置１６と電気的に接続されている。
【００２０】
一方、メモリー１３に蓄えられた情報（例えば、レンズの種類、焦点距離、および出射瞳位置等のレンズ特性情報）は、レンズユニット側端子１５およびカメラ本体側端子１４を介して処理装置１６に送られた後、画像表示部１７の、例えば、左上に表示されるようになっている。本実施形態ではその上側、すなわち、図４中の符号１９で示す部分（領域）にレンズユニット３が有する、例えば、倍率が表示され、その下側、すなわち、図４中の符号２０で示す部分（領域）にレンズユニット２が有する、例えば、倍率が表示されるようになっている。
【００２１】
本実施形態に係るデジタルカメラ１によれば、レンズマウント部６および擬似マウント部７に装着された（取り付けられた）レンズユニット２，３の情報（例えば、レンズの種類、焦点距離、および出射瞳位置等のレンズ特性情報）が、レンズユニット側端子１５およびカメラ本体側端子１４を介して処理装置１６に送られた後、画像表示部１７に表示されることとなる。
これにより、レンズマウント部６および擬似マウント部７に装着されているレンズユニット２，３が外観上判別できない場合であっても画像表示部１７を見ることによって一目で正確に確認することができる。
また、撮影条件に応じて、現在レンズマウント部６に装着されているレンズユニット２よりも擬似マウント部７に装着されているレンズユニット３の方が適している場合に、レンズユニット３への交換を視覚的に促すことができる。
【００２２】
なお、本実施形態において、例えば、図示しないボタンを撮影者が押すと、擬似マウント部７に装着されているレンズユニット３を使用した場合の視野が、画像表示部１７に、例えば、破線２１で表示されるように構成されているとさらに好適である。
これにより、撮影者は、レンズユニットを交換した場合に、どのような撮影が可能になるのかを画像表示部１７上で確認することができる。
【００２３】
図５は、レンズマウント部６に広角レンズ（Ｗ）が装着され、擬似マウント部７側に望遠レンズ（Ｔ）が装着されたレンズユニットの情報が、画像表示部に表示されている例を示している。
なお、本実施形態および以下の実施形態において、レンズユニット情報は情報表示用のスイッチを押す事により表示させるようにしてもよく、レリーズボタンと連動して一時的に表示させるようにしてもよい。
画像表示部１７には、擬似マウント部７に装着されているレンズユニット３を使用した場合の視野が、破線３１で表示されるように構成されている。これにより、撮影者は、レンズユニットを交換した場合に、どのような撮影が可能になるのかを画像表示部１７上で確認することができる。
【００２４】
図６は、レンズマウント部６に広角レンズ（Ｗ）が装着され、擬似マウント部７側に望遠レンズ（Ｔ）が装着されたレンズユニットの情報が、画像表示部に表示されている例を示している。画像表示部１７には、擬似マウント部７に装着されているレンズユニット３を使用した場合の視野が、画面四隅から中心方向に向かう矢印３２で表示されるように構成されている。
特に、擬似マウント部７に装着されているレンズユニットがズームレンズである場合には、焦点距離の可変範囲を矢印３２の長さで表示することで、ズーム可能な範囲を示すことができるので好適である。
【００２５】
図７は、レンズマウント部６に望遠レンズ（Ｔ）が装着され、擬似マウント部７側に広角レンズ（Ｗ）が装着されたレンズユニットの情報が、画像表示部１７に表示されている例を示している。画像表示部１７には、擬似マウント部７に装着されているレンズユニット３を使用した場合の視野が、画面中心部から画面四隅に向かう矢印３３で表示されるように構成されている。
【００２６】
図８は、レンズマウント部６に広角ズームレンズ（Ｗ）が装着され、擬似マウント部７側に望遠ズームレンズ（Ｔ）が装着されたレンズユニットの情報が、画像表示部１７に表示されている例を示している。画像表示部１７の画面右隅には、レンズマウント部６及び擬似マウント部７に装着されているズームレンズユニット３のズーム可能範囲を示すズームインジケータ３４が縦方向に並べられて表示されている。
本実施形態においては、ズームインジケータ３４は画面下側が広角端（Ｗ）であり、画面上側が望遠端（Ｔ）である。そして、レンズマウント部６には広角ズームレンズが装着されているので、ズームインジケータ３４の下側をわく囲みを強調させるように表示させている。
特に、ズームインジケータ３４中に現在の使用中のレンズのズームポジションを表示させるようにしてもよい。
【００２７】
図９は、レンズマウント部６に望遠ズームレンズ（Ｔ）が装着され、擬似マウント部７側に広角ズームレンズ（Ｗ）が装着されたレンズユニットの情報が、画像表示部１７に表示されている例を示している。画像表示部１７の画面右隅には、レンズマウント部６及び擬似マウント部７に装着されているズームレンズユニット３のズーム可能範囲を示すズームインジケータ３５が縦方向に並べられて表示されている。
本実施形態においては、ズームインジケータ３５は画面下側が広角端（Ｗ）であり、画面上側が望遠端（Ｔ）である。そして、レンズマウント部６には望遠ズームレンズ（Ｔ）が装着されているので、ズームインジケータ３５の上側をわく囲みを強調させるように表示させている。
特に、ズームインジケータ３５中に現在の使用中のレンズのズームポジションを表示させるようにしてもよい。
【００２８】
図１０は、レンズマウント部６に広角ズームレンズ（Ｗ）が装着され、擬似マウント部７側に望遠ズームレンズ（Ｔ）が装着されたレンズユニットの情報が、画像表示部１７に表示されている例を示している。画像表示部１７の画面右隅には、レンズマウント部６及び擬似マウント部７に装着されているズームレンズユニット３のズーム可能範囲を示すズームインジケータ３６が縦方向に並べられて表示されている。
本実施形態においては、ズームインジケータ３６は画面下側が広角端（Ｗ）であり、画面上側が望遠端（Ｔ）である。そして、レンズマウント部６には望遠ズームレンズ（Ｔ）が装着されているので、ズームインジケータ３６の上側をわく囲みを強調させるように表示させている。
また、本実施形態においては、それぞれのレンズの焦点距離が一部において重複している為に、広角端側のズームインジケータと望遠端側のズームインジケータとを一部において重複させて表示している。
さらに、上記他の実施形態と同様に、ズームインジケータ３６中に現在の使用中のレンズのズームポジションを表示させるようにしてもよい。
【００２９】
図１１は、レンズマウント部６に望遠ズームレンズ（Ｔ）が装着され、擬似マウント部７側に短焦点の広角レンズ（Ｗ）が装着されたレンズユニットの情報が、画像表示部１７に表示されている例を示している。画像表示部１７の画面右隅には、レンズマウント部６及び擬似マウント部７に装着されているズームレンズユニット３のズーム可能範囲を示すズームインジケータ３７及び広角レンズの焦点距離を示すインジケータ３８が縦方向に並べられて表示されている。
本実施形態においては、ズームインジケータ３７は画面下側が広角端（Ｗ）であり、画面上側が望遠端（Ｔ）である。そして、ズームインジケータ３７及びインジケータ３８は上下方向にそれぞれ自身の焦点距離（又は焦点範囲）に対応した位置に配置される。
また、本実施形態においては、レンズマウント部６には望遠ズームレンズ（Ｔ）が装着されているので、ズームインジケータ３７の上側をわく囲みを強調させるように表示させている。
【００３０】
図１２は、レンズマウント部６に望遠ズームレンズ（Ｔ）が装着され、擬似マウント部７側に短焦点の広角レンズ（Ｗ）が装着されたレンズユニットの情報が、画像表示部１７に表示されている例を示している。画像表示部１７中にはレンズマウント部及び擬似マウント部のカメラ本体への形成位置に対応させて、丸印状のインジケータ３９が表示される。更に、インジケータ３９には広角レンズか望遠レンズかを示す識別文字又は記号を表示することが好ましい。
また、本実施形態においては、レンズマウント部６には望遠ズームレンズ（Ｔ）が装着されているので、望遠ズームレンズ側（画面右側）のインジケータ３９の丸印を強調させるように表示させている。
さらに、図１３に示すように、インジケータ４０を立体的に表意させてもよい。
【００３１】
なお、本発明は上述した実施形態に限定されるものではなく、レンズ機能を備えたレンズユニット３の代わりに、前述したレンズユニット２，３と同様に構成されたメモリー機能やバッテリー機能を備えたアクセサリーユニット（機器）を擬似マウント部７に装着してもよい。
これにより、アクセサリーユニットがメモリー機能を備えている場合にはデジタルカメラ１のメモリー容量を増加させることができ、アクセサリーユニットがバッテリー機能を備えている場合にはデジタルカメラ１のバッテリー容量を増加させることができる。そして、アクセサリーユニットがメモリー機能を備えている場合にはそのアクセサリーユニットが有するメモリー容量（または残りのメモリー容量）が、画像表示部１７に表示されることとなる。また、アクセサリーユニットがバッテリー機能を備えている場合にはそのアクセサリーユニットが有するバッテリー容量（または残りのバッテリー容量）が、画像表示部１７に表示されることとなる。
【００３２】
また、レンズユニット２，３の前端部に、アクセサリーユニットまたは別の（さらに別の）レンズユニット（例えば、広角のレンズユニット）の後端部に形成された凸部８（図３参照）を受け入れる（と嵌合する）凹部（第３の嵌合部）２２（図２参照）が設けられているとさらに好適である。
【００３３】
この凹部２２は、その内周面が凸部８の外周面１０と平行になるとともに、その内径が凸部８の外径（すなわち、外周面１０の直径）よりも若干（わずかに）大きくなるようにアクセサリーユニットまたは（別の（さらに別の）レンズユニットを、その正面に抵抗なく（円滑に）抜き差しできるように）形成されている。また、凹部２２の半径方向外側で、かつ、アクセサリーユニットまたは別の（さらに別の）レンズユニットをレンズユニット２，３の前面に取り付けたときに第１の嵌合面１２と対向する領域（場所）は、第１の嵌合面１２と当接する第３の嵌合面２３（図２参照）とされている。そして、この第３の嵌合面２３は、第１の嵌合面１２の内側に配置された磁石を吸着させる磁性部材で作られている。
【００３４】
これにより、例えば、擬似マウント部７に装着されたレンズユニット３にバッテリー機能を有するアクセサリーユニットを近づけ、このアクセサリーユニットにメモリー機能を有するアクセサリーユニットを近づけるだけで、磁石と磁性部材とをそれぞれ吸着させて、その吸引力によりこれらレンズユニットおよびアクセサリーユニットを軸方向（すなわち、レンズユニット３の光軸方向）に、数珠つなぎ状態に一体的に連結して、搬送することができる。
この場合にも、擬似マウント部７に装着されたレンズユニット３およびアクセサリーユニットの情報が、画像表示部１７に表示されるように構成されていることが望ましい。
【００３５】
さらに、上述した実施形態ではメモリー１３と処理装置１６との信号のやりとりがカメラ本体側端子１４およびレンズユニット側端子１５を介して電気的に行われるものについて説明したが、本発明はこれに限定されるものではなく、これらカメラ本体側端子１４およびレンズユニット側端子１５を介さずに無線等を使って行うようにすることもできる。
【００３６】
なお、図１４〜図１６は、上述した、レンズマウント部及び擬似マウント部にそれぞれ数珠つなぎ状にレンズユニット及びアクセサリーユニットのいずれかが装着されている場合に、画像表示部に機器の情報を表示させた例を示している。
図１４は、擬似マウント部に焦点距離２８ｍｍ〜１００ｍｍのズームレンズと、焦点距離５０ｍｍ、ｆ値１．４の短焦点レンズが数珠状に装着されており、レンズマウント部側に、焦点距離１００ｍｍ〜８００ｍｍのズームレンズが装着されている例を示している。
また、図１５は、擬似マウント部に焦点距離２８ｍｍ〜１００ｍｍのズームレンズと、メモリー機能を有するアクセサリーユニットが数珠状に装着されており、レンズマウント部側に、焦点距離１００ｍｍ〜８００ｍｍのズームレンズが装着されている例を示している。
さらに、図１６は、擬似マウント部に焦点距離２８ｍｍ〜１００ｍｍのズームレンズと、バッテリ機能を有するアクセサリーユニットが数珠状に装着されており、レンズマウント部側に、焦点距離１００ｍｍ〜８００ｍｍのズームレンズが装着されている例を示している。
図１４〜図１６に示す各実施形態において、アクセサリーユニットのメモリ容量や使用量及びバッテリ残量を表示させるようにしてもよい。
【図面の簡単な説明】
【００３７】
【図１】本発明の一実施形態に係るデジタルカメラのカメラ本体の概略全体斜視図である。
【図２】本発明の一実施形態に係るデジタルカメラの概略全体斜視図である。
【図３】図２のａ−ａ（ｂ−ｂ）矢視断面図である。
【図４】本発明の一実施形態に係るデジタルカメラの概略全体背面図である。
【図５】本発明の他の実施形態に係るデジタルカメラの背面図である。
【図６】本発明の別の実施形態に係るデジタルカメラの背面図である。
【図７】本発明のさらに別の実施形態に係るデジタルカメラの背面図である。
【図８】本発明のさらに別の実施形態に係るデジタルカメラの背面図である。
【図９】本発明のさらに別の実施形態に係るデジタルカメラの背面図である。
【図１０】本発明のさらに別の実施形態に係るデジタルカメラの背面図である。
【図１１】本発明のさらに別の実施形態に係るデジタルカメラの背面図である。
【図１２】本発明のさらに別の実施形態に係るデジタルカメラの背面図である。
【図１３】本発明のさらに別の実施形態に係るデジタルカメラの背面図である。
【図１４】本発明のさらに別の実施形態に係るデジタルカメラの背面図である。
【図１５】本発明のさらに別の実施形態に係るデジタルカメラの背面図である。
【図１６】本発明のさらに別の実施形態に係るデジタルカメラの背面図である。
【符号の説明】
【００３８】
１  デジタルカメラ（レンズ交換式カメラ）
２  レンズユニット（機器）
３  レンズユニット（機器）
４  カメラ本体
６  レンズマウント部
７  擬似マウント部
１３  メモリー（情報読み取り手段）
１４  カメラ本体側端子（情報読み取り手段）
１５  レンズユニット側端子（情報読み取り手段）
１６  処理装置（情報読み取り手段）
１７  画像表示部
【図１】
2008089671.tif 000003
【図２】
2008089671.tif 000004
【図３】
2008089671.tif 000005
【図４】
2008089671.tif 000006
【図５】
2008089671.tif 000007
【図６】
2008089671.tif 000008
【図７】
2008089671.tif 000009
【図８】
2008089671.tif 000010
【図９】
2008089671.tif 000011
【図１０】
2008089671.tif 000012
【図１１】
2008089671.tif 000013
【図１２】
2008089671.tif 000014
【図１３】
2008089671.tif 000015
【図１４】
2008089671.tif 000016
【図１５】
2008089671.tif 000017
【図１６】
2008089671.tif 000018